(57)【要約】【課題】  ガタつきのないコネクタを提供する。【解決手段】  対になる雄コネクタハウジング２４と雌コネクタハウジング５３のうち、雄コネクタハウジング２４に弾性部材２６を取り付け、その弾性部材２６の密着部４７が嵌合時にこれら雄コネクタハウジング２４と雌コネクタハウジング５３の水密性を確保する部分として機能するコネクタ２１であって、弾性部材２６の弾性変形を利用してハウジング間のガタつきを吸収するガタ止め機構を嵌合方向に少なくとも二カ所備える。コネクタ２１のガタ止め機構としては、第一ガタ止め機構４８と第二ガタ止め機構５２とを備えて構成する。【選択図】    図４
2005174813.tif 000002
【特許請求の範囲】
【請求項１】
一対のコネクタハウジングの一方に弾性部材が取り付けられ、該弾性部材の密着部が前記一対のコネクタハウジングの嵌合時にこれらの水密性を確保する部分として機能するコネクタであって、
前記弾性部材の弾性変形を利用してハウジング間のガタつきを吸収するガタ止め機構を、前記一対のコネクタハウジングの嵌合方向に少なくとも二カ所備えた
ことを特徴とするコネクタ。
【請求項２】
請求項１に記載のコネクタにおいて、
前記ガタ止め機構を、前記一対のコネクタハウジングそれぞれに収容される接続端子同士の端子接触部分を挟んだ両側に位置するように配置した
ことを特徴とするコネクタ。
【請求項３】
請求項１に記載のコネクタにおいて、
前記ガタ止め機構を、前記密着部を挟んだ両側に位置するように配置した
ことを特徴とするコネクタ。
【請求項４】
請求項１ないし請求項３いずれか記載のコネクタにおいて、
前記ガタ止め機構を、前記嵌合方向に直行方向の弾発力を生じさせる第一ガタ止め機構と、前記嵌合方向に平行方向の弾発力を生じさせる第二ガタ止め機構とを備える構成にした
ことを特徴とするコネクタ。
【請求項５】
請求項１ないし請求項４いずれか記載のコネクタにおいて、
前記弾性部材に、前記一方のコネクタハウジングに引っ掛かり、他方のコネクタハウジングの摺動によるめくれを防止することが可能な引っ掛かり部を形成した
ことを特徴とするコネクタ。
【発明の詳細な説明】
【技術分野】
【０００１】
本発明は、相対向して嵌合し合うコネクタに関し、特に、弾性部材を用いて水密性を確保する防水タイプのコネクタであって耐高振動が必要な場合に好適なコネクタに関する。
【背景技術】
【０００２】
防水タイプのコネクタとしては、下記特許文献１に開示された技術のものが知られている。そのコネクタは、図８に示される如く、相対向して嵌合しあう雄コネクタハウジング１と雌コネクタハウジング２とを有している。雄コネクタハウジング１及び雌コネクタハウジング２には、それぞれ複数の端子収容室３が形成されている。雄コネクタハウジング１の各端子収容室３には、防水栓を有する雌型の電線付き端子（不図示）が収容係止されている。また、雌コネクタハウジング２の各端子収容室３には、防水栓を有する雄型の電線付き端子（不図示）が収容係止されている。
【０００３】
雄コネクタハウジング１には、空所４が形成されている。その空所４には、環状の弾性部材５が取り付けられている。弾性部材５は、所謂パッキンであり、その端面６には環状の突起部７が連成されている。突起部７は、図９に示される如く、嵌合時において、雄コネクタハウジング１の立ち上がり後壁８と、雌コネクタハウジング２の套体部９の先端面１０との間に挟まれて圧縮されるようになっている。
【０００４】
上記構成において、雄コネクタハウジング１及び雌コネクタハウジング２が嵌合しあうと、雄コネクタハウジング１のロッキングアーム１１の先端部が雌コネクタハウジング２の係止突起１２に係合してロックが完了する。この時、突起部７は、雄コネクタハウジング１の立ち上がり後壁８と、雌コネクタハウジング２の先端面１０との間に挟まれて圧縮されることから、雄コネクタハウジング１及び雌コネクタハウジング２は、嵌合してロックされればその後、嵌合方向への摺動が妨げられる。
【特許文献１】特公平５−５０１１３号公報  （第２頁、第１−２図）
【発明の開示】
【発明が解決しようとする課題】
【０００５】
ところで、上記従来技術にあっては、弾性部材５を設けていることから、その弾性部材５の位置する部分における雄コネクタハウジング１及び雌コネクタハウジング２同士のガタつきを抑えることができるという利点を有している。しかしながら、雌雄両端子が接続される位置での雄コネクタハウジング１及び雌コネクタハウジング２同士のガタつきまでは抑えることができず、その結果、端子同士がガタついて、端子の摩耗や変形や接触不良等の幾つかの問題点が生じている。
【０００６】
本発明は、上述した事情に鑑みてなされるもので、ガタつきのないコネクタ、言い換えれば耐高振動のコネクタを提供することを課題とする。
【課題を解決するための手段】
【０００７】
上記課題を解決するためなされた請求項１記載の本発明のコネクタは、一対のコネクタハウジングの一方に弾性部材が取り付けられ、該弾性部材の密着部が前記一対のコネクタハウジングの嵌合時にこれらの水密性を確保する部分として機能するコネクタであって、前記弾性部材の弾性変形を利用してハウジング間のガタつきを吸収するガタ止め機構を、前記一対のコネクタハウジングの嵌合方向に少なくとも二カ所備えたことを特徴としている。このような特徴を有する本発明によれば、ハウジング間のガタつきが少なくとも嵌合方向の二カ所で吸収される構造になる。
【０００８】
請求項２記載の本発明のコネクタは、請求項１に記載のコネクタにおいて、前記ガタ止め機構を、前記一対のコネクタハウジングそれぞれに収容される接続端子同士の端子接触部分を挟んだ両側に位置するように配置したことを特徴としている。このような特徴を有する本発明によれば、ハウジング間のガタつきが吸収される部分の間に端子接触部分が位置する。言い換えれば、ガタつきのない部分に端子接触部分が位置する。
【０００９】
請求項３記載の本発明のコネクタは、請求項１に記載のコネクタにおいて、前記ガタ止め機構を、前記密着部を挟んだ両側に位置するように配置したことを特徴としている。このような特徴を有する本発明によれば、ハウジング間のガタつきが吸収される部分の間に密着部が位置する。言い換えれば、ガタつきのない部分で水密性の確保がなされる。
【００１０】
請求項４記載の本発明のコネクタは、請求項１ないし請求項３いずれか記載のコネクタにおいて、前記ガタ止め機構を、前記嵌合方向に直行方向の弾発力を生じさせる第一ガタ止め機構と、前記嵌合方向に平行方向の弾発力を生じさせる第二ガタ止め機構とを備える構成にしたことを特徴としている。このような特徴を有する本発明によれば、第一ガタ止め機構により上下左右方向のガタつきが吸収される。また、第二ガタ止め機構により嵌合方向のガタつきが吸収される。
【００１１】
請求項５記載の本発明のコネクタは、請求項１ないし請求項４いずれか記載のコネクタにおいて、前記弾性部材に、前記一方のコネクタハウジングに引っ掛かり、他方のコネクタハウジングの摺動によるめくれを防止することが可能な引っ掛かり部を形成したことを特徴としている。このような特徴を有する本発明によれば、嵌合時に他方のコネクタハウジングの摺動による弾性部材のめくれが阻止される。
【発明の効果】
【００１２】
請求項１に記載された本発明によれば、ガタつきをなくして接続端子相互の摺動を防止することができるという効果を奏する。従って、耐高振動のコネクタであって、接続端子の摩耗や変形や接触不良等を防止することができるという効果を奏する。
【００１３】
請求項２に記載された本発明によれば、ガタつきのない部分に端子接触部分を位置させることができるという効果を奏する。従って、より確実に接続端子相互の摺動を防止することができるという効果を奏する。
【００１４】
請求項３に記載された本発明によれば、ガタつきのない部分で水密性の確保を図ることができるという効果を奏する。従って、より確実に防水をすることができるという効果を奏する。
【００１５】
請求項４に記載された本発明によれば、嵌合方向に直行方向と平行方向の二つのガタつきを吸収することができるという効果を奏する。従って、より確実にガタつきをなくすことができるという効果を奏する。
【００１６】
請求項５に記載された本発明によれば、弾性部材のめくれを阻止することができるという効果を奏する。従って、より確実に防水をすることができるという効果を奏する。
【発明を実施するための最良の形態】
【００１７】
以下、図面を参照しながら説明する。
図１は本発明のコネクタの一実施の形態を示す分解斜視図である。また、図２は弾性部材の斜視図、図３は嵌合状態を示す断面図、図４は図３のＣ部分を拡大した断面図、図５は図４の要部のうちの一つをさらに拡大した断面図、図６は嵌合方向に直行方向の断面図である。
【００１８】
図１において、引用符号２１は本発明のコネクタを示している。そのコネクタ２１は、防水タイプのコネクタであって、相対向して嵌合し合う雄コネクタ２２と雌コネクタ２３とを備えて構成されている。本発明のコネクタ２１は、ガタつきのないコネクタとして構成されていることが特徴になっている。以下、図１ないし図６を参照しながら各コネクタの構成について詳細に説明する。
【００１９】
上記雄コネクタ２２は、合成樹脂製の雄コネクタハウジング２４と、その雄コネクタハウジング２４の内部に収容される複数の雌型接続端子２５と、雄コネクタハウジング２４の内部に取り付けられるゴム製の弾性部材２６と、収容された雌型接続端子２５の二重係止を行うための合成樹脂製のフロントホルダ２７とを備えて構成されている。
【００２０】
雄コネクタハウジング２４は、インナーハウジング２８と、空所２９を設けてインナーハウジング２８の外側に位置するアウターハウジング３０と、インナーハウジング２８及びアウターハウジング３０が一体化する部分の後方に位置するハウジング後部３１とを有している。
【００２１】
インナーハウジング２８は、その前面が解放されており、内部には複数の端子収容室３２が形成されている。また、インナーハウジング２８は、その前面を介してフロントホルダ２７が差し込まれて嵌合することができるように形成されている。このようなインナーハウジング２８の外面は、平坦な面となるように形成されている。すなわち、インナーハウジング２８の外面は、弾性部材２６に対する密着面として形成されている。端子収容室３２には、雌型接続端子２５の後述する電気接触部の後部に引っ掛かるランス３３が形成されている。そのランス３３は、可撓性を有するアーム状の部分であって、雌型接続端子２５の後方側への抜けを防止するために形成されている。
【００２２】
アウターハウジング３０は、インナーハウジング２８の外面から立ち上がるフード底壁３４と、そのフード底壁３４の端部に連成され且つ雄コネクタハウジング２４の軸方向に沿ってのびるフード部３５とを有している。フード底壁３４は、平坦な面となるように形成されている。すなわち、フード底壁３４は、弾性部材２６に対する密着面且つ押圧面として形成されている。
【００２３】
フード部３５には、その上部にロック部３６が形成されている。ロック部３６は、既知の構造からなる部分であって、係止部３７を有する可撓性のアーム３８が形成されている。ロック部３６には、雌コネクタ２３側の後述する係止突起６０が引っ掛かるようになっている。フード部３５には、雌コネクタ２３を案内するためのガイド溝３９、４０が形成されている。そのガイド溝３９、４０は、それぞれ雄コネクタハウジング２４の軸方向に沿ってのびるように形成されており、ガイド溝３９が雌コネクタ２３の上部を案内するとともに、ガイド溝４０が雌コネクタ２３の側部を案内するようになっている。
【００２４】
ハウジング後部３１には、各端子収容室３２に連通する端子挿入部４１が形成されている。その端子挿入部４１は、断面視円形状の貫通孔であって、内周面が防水のためのシール面として形成されている。端子挿入部４１は、端子収容室３２に雌型接続端子２５を収容するための挿入部分として形成されている。
【００２５】
雌型接続端子２５は、導電性を有する金属板を加工することにより形成されている。また、雌型接続端子２５は、箱形状の電気接触部と、その電気接触部の後部に連成される電線接続部とを有している。電気接触部の内部には、弾性接触片が設けられている。電線接続部には、ゴム栓４２を取り付けた電線４３の導体が接続されている。ゴム栓４２は、端子挿入部４１の内周面に密着するように形成されている。
【００２６】
弾性部材２６は、弾性変形可能な所謂パッキンであって、環状筒部４４と、その環状筒部４４の前端に連成される引っ掛かり部４５と、環状筒部４４の後端に連成される環状突起部４６とを有している。環状筒部４４は、その内面がインナーハウジング２８の外面に対して密着する部分として形成されるとともに、外面が雌コネクタ２３との水密性を確保するための部分として形成されている。このような環状筒部４４の中間には、水密性を確保するための密着部４７が形成されている。密着部４７は、複数（本形態においては三つ）の環状の山形部分が連続するように形成されている。密着部４７は、本形態において、ランス３３の先端部の位置に合わせて形成されている。
【００２７】
環状筒部４４の前端は、本発明の要旨となるガタ止め機構（第一ガタ止め機構４８）を構成する部分として設定されている。その第一ガタ止め機構４８は、本形態において、雌コネクタ２３の後述する雌コネクタハウジング５３により押圧される部分（環状筒部４４の前端）と、押圧する部分（後述する雌コネクタハウジング５３の押圧突起６３）とで構成されている。尚、第一ガタ止め機構４８は、上記構成の重なり合いの部分がこれに相当するものとして図示されている（図３及び図４参照。あえて弾性変形させてない図にしてある）。第一ガタ止め機構４８は、本形態において、雌コネクタ２３の後述する雌コネクタハウジング５３により環状筒部４４の前端が押圧されると、コネクタ嵌合方向に直行方向の弾発力が生じて上下左右方向のガタつきが吸収されるようになっている。
【００２８】
引っ掛かり部４５は、インナーハウジング２８の前面に対して引っ掛かるカギ状の部分であって、環状筒部４４の前端の全周にわたって形成されている（部分的に引っ掛かるようにしてもよいものとする）。引っ掛かり部４５は、雌コネクタ２３の後述する雌コネクタハウジング５３の摺動によるめくれを防止するために形成されている。引っ掛かり部４５は、インナーハウジング２８の肉厚よりも短い長さで突出するように形成されている。
【００２９】
環状突起部４６は、アウターハウジング３０のフード底壁３４とフード部３５の基端部分とに密着する部分であって、環状筒部４４の後端の全周にわたって形成されている。このような環状突起部４６には、その全周方向に複数の突出片４９が所定のピッチで形成されている。突出片４９は、フード部３５の基端部分に密着する水平面５０と、その水平面５０に直交する直交面５１とを有する片状の部分であって、本発明の要旨となるガタ止め機構（第二ガタ止め機構５２）を構成する部分として設定されている。
【００３０】
その第二ガタ止め機構５２は、雌コネクタ２３の後述する雌コネクタハウジング５３により押圧される部分（直交面５１）と、押圧する部分（後述する雌コネクタハウジング５３の先端５９）とで構成されている。尚、第二ガタ止め機構５２は、上記構成の重なり合いの部分がこれに相当するものとして図示されている（図３及び図４参照。あえて弾性変形させてない図にしてある）。第二ガタ止め機構５２は、本形態において、雌コネクタ２３の後述する雌コネクタハウジング５３により突出片４９の直交面５１が押圧されると、コネクタ嵌合方向に平行方向の弾発力が生じて嵌合方向のガタつきが吸収されるようになっている（弾発力により係止部３７と係止突起６０の間隙がなくなりガタつきが阻止される）。
【００３１】
フロントホルダ２７は、インナーハウジング２８の前面を介して内部に差し込まれる部分と、インナーハウジング２８の前面を覆う部分とを有している。フロントホルダ２７におけるインナーハウジング２８の前面を覆う部分には、雌コネクタ２３の後述する雄型接続端子５４を差し込み可能とする端子挿入口と、雌コネクタ２３の後述する押圧突起６３に対しての逃がし部とが形成されている。尚、フロントホルダ２７とインナーハウジング２８の前面との間には、弾性部材２６の引っ掛かり部４５が介在するようになっている。フロントホルダ２７は、雌型接続端子２５の前方への抜けを防止するために設定されている。
【００３２】
上記雌コネクタ２３は、合成樹脂製の雌コネクタハウジング５３と、その雌コネクタハウジング５３の内部に収容される複数の雄型接続端子５４と、収容された雄型接続端子５４の二重係止を行うための合成樹脂製のフロントホルダ５５とを備えて構成されている。
【００３３】
雌コネクタハウジング５３は、フード部５６と、そのフード部５６に連成されるハウジング中間部５７と、ハウジング中間部５７に連成されるハウジング後部５８とを有している。また、雌コネクタハウジング５３は、雄コネクタハウジング２４に対して嵌合するように形成されている。
【００３４】
フード部５６は、雄コネクタハウジング２４の空所２９に差し込むことができるように形成されている。このようなフード部５６の先端５９は、本発明の要旨となるガタ止め機構（第二ガタ止め機構５２）を構成する部分として設定されている。フード部５６の先端５９は、弾性部材２６の直交面５１を押圧し易くするために、例えばＲ（アール）とテーパとを連続させた図示のような形状に形成されている。
【００３５】
フード部５６の外面には、係止突起６０と複数のガイド突起６１、６２とが形成されている。係止突起６０は、本形態において、フード部５６の先端５９の近傍に形成されている。係止突起６０は、雌コネクタ２３側のロック部を構成する部分であって、雄コネクタハウジング２４の係止部３７に引っ掛かる爪状の突起として形成されている。ガイド突起６１、６２は、雌コネクタハウジング５３の軸方向に沿ってのびるように形成されている。また、ガイド突起６１は、雄コネクタハウジング２４のガイド溝３９に案内され、ガイド突起６２は、雄コネクタハウジング２４のガイド溝４０に案内されるようになっている。
【００３６】
フード部５６の内面は、弾性部材２６の密着部４７が密着する部分であって、水密性を確保することができるように形成されている。すなわち、フード部５６の内面であって先端５９の近傍は、シール面として形成されている。このようなフード部５６の内面には、本発明の要旨となるガタ止め機構（第一ガタ止め機構４８）を構成する押圧突起６３が複数形成されている。
【００３７】
押圧突起６３は、フード部５６の内面であって奥壁側に形成されている。また、押圧突起６３は、雌コネクタハウジング５３の軸方向に沿ってのびるように形成されるとともに、所定のピッチで複数形成されている。このような押圧突起６３は、コネクタ嵌合時に弾性部材２６の環状筒部４４の上記前端を押圧して弾性変形を生じさせることができるように形成されている。尚、押圧突起６３は、コネクタ嵌合時の挿入抵抗を軽減するために、嵌合途中では弾性部材２６に対して接触しないように配慮がなされている。すなわち、押圧突起６３は、コネクタの完全嵌合時にのみ弾性部材２６の環状筒部４４の上記前端を押圧するようにその位置が設定されている。
【００３８】
ハウジング中間部５７には、フード部５６の上記奥壁に開口する端子収容室６４が複数形成されている。また、ハウジング中間部５７は、上記奥壁に開口する端子収容室６４にフロントホルダ５５を差し込んで係止させることができるように形成されている。端子収容室６４には、雄型接続端子５４の後述する電気接触部の後部に引っ掛かるランス６５が形成されている。そのランス６５は、可撓性を有するアーム状の部分であって、雄型接続端子５４の後方側への抜けを防止するために形成されている。
【００３９】
ハウジング後部５８には、各端子収容室６４に連通する端子挿入部６６が形成されている。その端子挿入部６６は、断面視円形状の貫通孔であって、内周面が防水のためのシール面として形成されている。端子挿入部６６は、端子収容室６４に雄型接続端子５４を収容するための挿入部分として形成されている。尚、引用符号６７はハウジング後部５８及びハウジング中間部５７に跨って形成されるロック部を示している。そのロック部６７は、例えばブラケット等に本発明のコネクタ２１を固定するための部分として形成されている。
【００４０】
雄型接続端子５４は、導電性を有する金属板を加工することにより形成されている。また、雄型接続端子５４は、前方がタブ形状、後方が箱形状の電気接触部と、その電気接触部の後部に連成される電線接続部とを有している。電気接触部は、雌型接続端子２５の上記弾性接触片に接触する部分であって電気的な接続がなされるように形成されている。電線接続部には、ゴム栓６８を取り付けた電線６９の導体が接続されている。ゴム栓６８は、端子挿入部６６の内周面に密着するように形成されている。
【００４１】
フロントホルダ５５は、フード部５６の上記奥壁を介してハウジング中間部５７の内部に差し込まれるようになっている（構造は既知であるので省略する）。フロントホルダ５５は、雄型接続端子５４の前方への抜けを防止するために設定されている。
【００４２】
上記構成において、弾性部材２６をインナーハウジング２８の外面に密着させるように差し込み、弾性部材２６の環状突起部４６をアウターハウジング３０のフード底壁３４に当接させると、弾性部材２６の雄コネクタハウジング２４への取り付けが完了する。この時、インナーハウジング２８の前面に弾性部材２６の引っ掛かり部４５が引っ掛かる。次に、端子挿入部４１を介して電線４３付きの雌型接続端子２５を端子収容室３２に収容すると、雌型接続端子２５の雄コネクタハウジング２４への取り付けが完了する。この時、雌型接続端子２５に付属するゴム栓４２が端子挿入部４１の内周面に密着する。続いて、フロントホルダ２７をインナーハウジング２８の前面を介して内部に差し込むと、フロントホルダ２７の雄コネクタハウジング２４への取り付けと雌型接続端子２５に対する二重係止とが完了する。以上により、雄コネクタ２２の組み付けが完了する。
【００４３】
一方、雌コネクタ２３の組み付けは、端子挿入部６６を介して電線６９付きの雄型接続端子５４を端子収容室６４に収容すると、雄型接続端子５４の雌コネクタハウジング５３への取り付けが完了する。この時、雄型接続端子５４に付属するゴム栓６８が端子挿入部６６の内周面に密着する。次に、フロントホルダ５５をフード部５６の上記奥壁を介してハウジング中間部５７の内部に差し込むと、フロントホルダ５５の雌コネクタハウジング５３への取り付けと雄型接続端子５４に対する二重係止とが完了する。以上により、雌コネクタ２３の組み付けが完了する。
【００４４】
本発明のコネクタ２１の組み付けは、雄コネクタ２２と雌コネクタ２３とをその各前面が対向するように配置し、嵌合方向（図１の矢線Ｐ参照）に沿ってこれら二つのコネクタを近接させ、雌コネクタ２３のフード部５６を雄コネクタ２２の弾性部材２６とアウターハウジング３０との間に差し込むと、雄コネクタ２２と雌コネクタ２３とのコネクタ嵌合が開始する。次に、雌コネクタハウジング５３の先端５９を弾性部材２６の密着部４７とアウターハウジング３０との間に差し込んで通過させ、その雌コネクタハウジング５３の先端５９を弾性部材２６の直交面５１に押し付けるとともに、雌コネクタハウジング５３の押圧突起６３を弾性部材２６の環状筒部４４の上記前端に押し付けると、雌コネクタハウジング５３の係止突起６０と雄コネクタハウジング２４の係止部３７とが引っ掛かり合いコネクタの嵌合が完了する。
【００４５】
この時、弾性部材２６の密着部４７により水密性が確保され、また、第一ガタ止め機構４８によりコネクタ嵌合方向に直行方向の弾発力が生じて上下左右方向のガタつきが吸収され、さらに、第二ガタ止め機構５２によりコネクタ嵌合方向に平行方向の弾発力が生じて嵌合方向のガタつきが吸収される。以上により、本発明のコネクタ２１の組み付けが完了する。
【００４６】
次に、図７を参照しながら本発明によるコネクタの他の一実施の形態を説明する。図７は他の一実施の形態の要部断面図である。尚、上述の形態の構成と基本的に同じ部分には同一の符号を付してその説明を省略する。
【００４７】
図７において、弾性部材２６の環状筒部４４の前端には、雌コネクタハウジング５３のフード部５６の内面により押圧されて弾性変形する突起部７０が形成されている。突起部７０は、環状に形成、又は所定のピッチで環状筒部４４の周方向に複数形成されている。このような突起部７０とフード部５６の内面とにより本発明の要旨となるガタ止め機構（第一ガタ止め機構７１）が構成されている。第一ガタ止め機構７１は、上述の第一ガタ止め機構４８と同じ機能を有している。
【００４８】
以上、図１ないし図７を参照しながら説明してきたように、本発明のコネクタ２１によれば、嵌合方向に第一ガタ止め機構４８（７１）と第二ガタ止め機構５２とを備えていることから、コネクタ同士（コネクタハウジング同士）のガタつきをなくして接続端子相互の摺動を防止することができる。従って、本発明のコネクタ２１は、耐高振動のコネクタであって、接続端子の摩耗や変形や接触不良等を防止することができる。
【００４９】
また、本発明のコネクタ２１によれば、第一ガタ止め機構４８と第二ガタ止め機構５２とを備えていることから、嵌合方向に直行方向と平行方向の二つのガタつきを吸収することができる。従って、より確実にガタつきをなくすことができる。
【００５０】
さらに、本発明のコネクタ２１によれば、図面からも分かるように、接続端子同士の端子接触部分を挟んだ両側に第一ガタ止め機構４８と第二ガタ止め機構５２とを配置していることから、ガタつきのない部分の間に端子接触部分を位置させることができる。従って、より確実に接続端子相互の摺動を防止することができる。
【００５１】
さらにまた、本発明のコネクタ２１によれば、図面からも分かるように、密着部４７を挟んだ両側に第一ガタ止め機構４８と第二ガタ止め機構５２とを配置していることから、ガタつきのない部分の間で水密性の確保を図ることができる。従って、より確実に防水をすることができる。
【００５２】
さらにまた、本発明のコネクタ２１によれば、弾性部材２６に引っ掛かり部４５を形成していることから、弾性部材２６のめくれを阻止することができる。従って、より確実に防水をすることができる。
【００５３】
その他、本発明は本発明の主旨を変えない範囲で種々変更実施可能なことは勿論である。
【００５４】
すなわち、第一ガタ止め機構４８と第二ガタ止め機構５２とを備える代わりに、少なくとも二つの第一ガタ止め機構４８を備えてもよいものとする。また、嵌合方向に第三のガタ止め機構を設けたり、二つの第一ガタ止め機構４８と一つの第二ガタ止め機構５２とを備えたりしてガタ止め機構を構成してもよいものとする。
【図面の簡単な説明】
【００５５】
【図１】本発明によるコネクタの一実施の形態を示す分解斜視図である。
【図２】弾性部材の斜視図である。
【図３】嵌合状態を示す断面図である。
【図４】図３のＣ部分を拡大した断面図である。
【図５】図４の要部のうちの一つをさらに拡大した断面図である。
【図６】嵌合方向に直行方向の断面図である。
【図７】本発明によるコネクタの他の一実施の形態を示す要部断面図である。
【図８】従来例のコネクタの嵌合状態を示す断面図である。
【図９】従来例のコネクタの要部を拡大した断面図である。
【符号の説明】
【００５６】
２１  コネクタ
２２  雄コネクタ
２３  雌コネクタ
２４  雄コネクタハウジング
２５  雌型接続端子
２６  弾性部材
２７  フロントホルダ
２８  インナーハウジング
２９  空所
３０  アウターハウジング
３１  ハウジング後部
３２  端子収容室
３３  ランス
３４  フード底壁
３５  フード部
３６  ロック部
３７  係止部
３８  アーム
３９、４０  ガイド溝
４１  端子挿入部
４２  ゴム栓
４３  電線
４４  環状筒部
４５  引っ掛かり部
４６  環状突起部
４７  密着部
４８  第一ガタ止め機構（ガタ止め機構）
４９  突出片
５０  水平面
５１  直交面
５２  第二ガタ止め機構（ガタ止め機構）
５３  雌コネクタハウジング
５４  雄型接続端子
５５  フロントホルダ
５６  フード部
５７  ハウジング中間部
５８  ハウジング後部
５９  先端
６０  係止突起
６１、６２  ガイド突起
６３  押圧突起
６４  端子収容室
６５  ランス
６６  端子挿入部
６７  ロック部
６８  ゴム栓
６９  電線
７０  突起部
７１  第一ガタ止め機構（ガタ止め機構）
【図１】
2005174813.tif 000003
【図２】
2005174813.tif 000004
【図３】
2005174813.tif 000005
【図４】
2005174813.tif 000006
【図５】
2005174813.tif 000007
【図６】
2005174813.tif 000008
【図７】
2005174813.tif 000009
【図８】
2005174813.tif 000010
【図９】
2005174813.tif 000011